【手続補正書】
【提出日】平成20年3月21日(2008.3.21)
【手続補正１】
【補正対象書類名】特許請求の範囲
【補正対象項目名】全文
【補正方法】変更
【補正の内容】
【特許請求の範囲】
【請求項１】
複数文字の印を有するデータ入力キーのアレイを備えるパーソナルコンピュータ用のインターフェースシステムであって、
データストレージ手段と、データ処理手段と、データ表示手段とをさらに備え、
前記データ処理手段が、
（ｉ）ユーザによって最初に押下されたデータ入力キーに帰属する前記１つ又は複数の文字によって決定される最初の文字によって、前記データストレージ手段内に保存されているデータをフィルタにかけるステップと、
（ｉｉ）前記フィルタにかけられたデータに対して、ユーザが設定できる優先順位付けのパラメータに従ってリアルタイムに優先順位付けを行うステップと、
（ｉｉｉ）１つ又は複数の優先順位付けされたデータ列を、前記ユーザによるその後の選択用として前記データ表示手段上に表示するステップと
によって、所与のデータ列を作成するために必要とされるキーの押下回数を前記データ列内の文字数未満にまで削減することを容易にするように適合されており、
前記データストレージ手段が、所与のデータ列に関する質的な情報及び／又は量的な情報をそれぞれ保存する１つ又は複数のデータ辞書によって画定され、
前記質的な情報及び／又は量的な情報が、データ列の使用履歴に関する確率の情報を含む、インターフェースシステム。
【請求項２】
連続してキーを押下すると、前記ユーザによるその後の選択用として前記データ表示手段上に表示された前記複数のデータ列をさらにフィルタにかけるように機能する請求項１に記載のインターフェースシステム。
【請求項３】
前記アレイ内の前記データ入力キーが、所与の言語における最も多く使用される英数字の組合せの統計的な外挿と一致するように選択される複数文字の印を有し、したがって所与のデータ列を作成するのに必要とされるキーの押下回数をさらに削減することを容易にする請求項１又は２に記載のインターフェースシステム。
【請求項４】
複数文字の印を有する前記データ入力キーが、第１及び第２のキー値又はキー機能に相当する少なくとも第１及び第２の印を有する複合キーである請求項１〜３のいずれか一項に記載のインターフェースシステム。
【請求項５】
前記データストレージ手段が、それぞれのデータ列に関して質的な情報及び／又は量的な情報が保存される１つ又は複数のデータ辞書によって特徴付けられる請求項１〜４のいずれか一項に記載のインターフェースシステム。
【請求項６】
所与のデータ列を作成するのに必要とされるキーの押下回数をさらに削減することを容易にする前記インターフェースシステムの物理的な対話を少なくする特徴をユーザが選択的に有効にしたり無効にしたりできるように設定手段が提供される請求項５に記載のインターフェースシステム。
【請求項７】
前記物理的な対話を少なくする特徴が、
（ｉ）データ列を選択した後ろにスペースを入力するステップと、
（ｉｉ）表示されるデータ列を、前記データ列を前記データ表示手段上に表示するのに必要とされるキーの押下回数よりも多い合計文字数を有するデータ列に限定するステップと、
（ｉｉｉ）タイプ入力された又は選択されたニーモニック、略語、又は頭字語をそれらの対応する完全なデータ列へと拡張するステップと、
（ｉｖ）データ列と、ユーザが設定できる辞書の定義又は記述の間で双方向の変換を実行するステップと。
（ｖ）１つのデータ入力キーを２回押下することによって第２のキー値又はキー機能を選択できるようにするステップと、
（ｖｉ）１つのデータ入力キーを２回押下することによって、前記データストレージ手段内に保存されているさまざまなデータ列のリストからの選択を可能にするステップであって、前記データ列が、そのキーの前記キー値に相当する最初の１つ又は複数の文字を有するステップと、
（ｖｉｉ）１回キーを押下することによってｎ個の文字、単語、文、又はパラグラフを右から左へ及び／又は左から右へ削除できるようにするステップとを含むグループから選択可能である請求項６に記載のインターフェースシステム。
【請求項８】
１つのデータ入力キーを２回押下することによって得られた前記第２のキー値又はキー機能が、そのキーのＳＨＩＦＴ値と同一である請求項７に記載のインターフェースシステム。
【請求項９】
前記第２のキー値又はキー機能を選択するには、それぞれの２回の押下を所定の時間内に完了しなければならない請求項７又は８に記載のインターフェースシステム。
【請求項１０】
前記第２のキー値が、複数文字の印を有する複合キーの前記第２の印に相当する請求項７〜９のいずれか一項に記載のインターフェースシステム。
【請求項１１】
前記第２のキー値が、大文字にされた従来のキー値に相当する請求項７〜９のいずれか一項に記載のインターフェースシステム。
【請求項１２】
複合キーと組み合わせて機能することができ、かつ前記第２のキー値又はキー機能にアクセスするように適合されている少なくとも１つのファンクションキーが提供される請求項７〜１１のいずれか一項に記載のインターフェースシステム。
【請求項１３】
前記リストから選択可能な前記データ列が、ユーザが定義できる量的な情報及び／又は質的な情報に従って前記データストレージ手段内でアクティブに優先順位付けされる請求項７に記載のインターフェースシステム。
【請求項１４】
前記リストから別のデータ列を選択できる前記機能が、ＳＰＡＣＥキー又は別の文字以外のキーが押下されると無効になる請求項７又は１３に記載のインターフェースシステム。
【請求項１５】
前記設定手段によって、ユーザが、前記又はそれぞれのデータ辞書内に保存されている前記データの所望の質的な特徴及び／又は量的な特徴に従って前記優先順位付けのパラメータを選択的に調整することもできる請求項６〜１４のいずれか一項に記載のインターフェースシステム。
【請求項１６】
前記質的な情報及び／又は量的な情報が、前記データストレージ手段内に保存されているそれぞれのデータ列に関する統計的な情報及び／又は確率の情報を含む請求項１５に記載のインターフェースシステム。
【請求項１７】
すべての質的な情報及び量的な情報がリアルタイムに動的に更新される請求項１５又は１６に記載のインターフェースシステム。
【請求項１８】
前記データ処理手段が、複数のデータ辞書の間で検索の連鎖を維持し、それによって第１のデータ辞書内の所与のデータ列が、前記ユーザによる選択用として１つ又は複数の他のデータ辞書内の１つ又は複数のデータ列に対応付けされる請求項１５〜１７のいずれか一項に記載のインターフェースシステム。
【請求項１９】
第１のデータ辞書内の所与のデータ列が、１つ又は複数の他のデータ辞書内の複数のデータ列に対応付けされる場合に、前記データ列が、前記ユーザによる選択を容易にするために前記設定手段を介して優先順位付けされる請求項１８に記載のインターフェースシステム。
【請求項２０】
前記対応付けが動的に実行される請求項１８又は１９に記載のインターフェースシステム。
【請求項２１】
前記データ処理手段が、前記動的に更新された質的な情報及び量的な情報を選択的に無視したりリセットしたりすることができる請求項２０に記載のインターフェースシステム。
【請求項２２】
前記データ処理手段が、任意の所与のデータ列と、最大でｎ個までの他のデータ列の間で関連付けリンクを維持し、したがってｎ＋１個のデータ列から構成される最も関連性の高いより長いデータ列が、前記ユーザによる選択用として表示又は予想される請求項１５〜１７のいずれか一項に記載のインターフェースシステム。
【請求項２３】
複数の最も関連性の高いより長いデータ列が、前記ユーザによる選択用として、優先順位付けされたリスト内で利用可能にされるか、又は表示される請求項２２に記載のインターフェースシステム。
【請求項２４】
より長いデータ列を選択すると、関連付けリンクが繰り返し行われ、これによって、さらなる１つ又は複数の関連性の高いより長いデータ列が、前記ユーザによる選択用として表示される請求項２２又は２３に記載のインターフェースシステム。
【請求項２５】
前記又はそれぞれのより長いデータ列の前記関連付け／優先順位付けが、前記又はそれぞれのデータ辞書内に保存されている統計的な情報及び／又は確率の情報に従って決定される請求項２３又は２４に記載のインターフェースシステム。
【請求項２６】
統計的な情報が、データ列の入力及び／又は選択の履歴に関連している請求項２５に記載のインターフェースシステム。
【請求項２７】
前記入力及び／又は選択の履歴の情報を、（ｉ）入力の頻度、（ｉｉ）選択の頻度、（ｉｉｉ）文字の長さ、（ｉｖ）語彙的なパターンの密度、及び（ｖ）時系列の重み付けのうちの１つ又は複数とすることができる請求項２６に記載のインターフェースシステム。
【請求項２８】
確率の情報を、（ｉ）より長いデータ列内における複数のデータ列の発生比率及び／又は関連付け比率、（ｉｉ）所与のデータ列が１つ又は複数の他のデータ列と結び付いて、より長いデータ列の文脈を決定付ける可能性を割り出す文脈比率のうちの１つ又は複数とすることができる請求項２５に記載のインターフェースシステム。
【請求項２９】
前記ユーザによるその後の選択用として前記データ表示手段上に表示される前記１つ又は複数のデータ列が、優先順位の降順のリスト形式で表示される請求項２３〜２８のいずれか一項に記載のインターフェースシステム。
【請求項３０】
複数のパーソナルコンピュータの間におけるデータ辞書の同期化を有線接続又は無線接続によって達成することができる請求項５〜２９のいずれか一項に記載のインターフェースシステム。
【請求項３１】
複数のパーソナルコンピュータの間におけるデータ辞書の同期化を共通のデータベースからのダウンロードによって達成することができる請求項５〜３０のいずれか一項に記載のインターフェースシステム。
【請求項３２】
前記又はそれぞれのデータ辞書が手動で取り込まれる請求項５〜３１のいずれか一項に記載のインターフェースシステム。
【請求項３３】
パーソナルコンピュータ又は離れた場所から接続されているデバイス上に存在するデータ列を前記データストレージ手段上にアップロードすることによって、前記又はそれぞれのデータ辞書をデータ及びその対応する質的な情報及び／又は量的な情報と共に取り込むことを加速することができる請求項５〜３１のいずれか一項に記載のインターフェースシステム。
【請求項３４】
スキャニング装置を用いて外部のデータ列を光学的にスキャンすることによって、前記辞書が取り込まれる請求項５〜３１のいずれか一項に記載のインターフェースシステム。
【請求項３５】
複数文字の印を有するデータ入力キーのアレイと、
所与のデータ列に関する質的な情報及び／又は量的な情報をそれぞれ保存する１つ又は複数のデータ辞書を有するデータストレージ手段と
を備えるパーソナルコンピュータ用のデータ入力装置であって、
所与のデータ列を作成又は削除するために必要とされるキーの押下回数を前記データ列内の文字数未満にまで削減することを容易にするように適合されており、
前記質的な情報及び／又は量的な情報が、データ列の使用履歴に関する確率の情報を含む、データ入力装置。
【請求項３６】
前記複数文字の印が英字の組合せを含む請求項３５に記載のデータ入力装置。
【請求項３７】
前記複数文字の印がダイグラフを含む請求項３５又は３６に記載のデータ入力装置。
【請求項３８】
前記複数文字の印がトリグラフを含む請求項３５〜３７のいずれか一項に記載のデータ入力装置。
【請求項３９】
前記複数文字の印がテトラグラフを含む請求項３５〜３７のいずれか一項に記載のデータ入力装置。
【請求項４０】
所与の言語における最も頻繁に使用される複数文字の組合せがホームポジションに対して最も近く配置されるように前記アレイ内の前記キーが配列されている請求項３５〜３９のいずれか一項に記載のデータ入力装置。
【請求項４１】
複数文字の印を有する前記キーが、少なくとも第１及び第２の印を有する複合キーである請求項３５〜４０のいずれか一項に記載のデータ入力装置。
【請求項４２】
複数文字の印を有する前記キーが、ＱＷＥＲＴＹキーボード上のほぼ中央に、それぞれホームポジションＦとＪの間に提供されている請求項３５〜４１のいずれか一項に記載のデータ入力装置。
【請求項４３】
複数文字の印を有する前記キーが、ＤＶＯＲＡＫ又はＭＡＬＴＲＯＮ（登録商標）のキーボード上に提供される請求項３５〜４１のいずれか一項に記載のデータ入力装置。
【請求項４４】
キーの前記アレイが、グラフィカルタッチスクリーン上に表示される請求項３５〜４３のいずれか一項に記載のデータ入力装置。
【請求項４５】
ユーザによって最も頻繁にキー入力される前記複数文字の組合せが前記ホームポジションに対して最も近く配置されるように、前記グラフィカルタッチスクリーン上の前記複数文字の印がリアルタイムに動的に更新される請求項４４に記載のデータ入力装置。
【請求項４６】
計算機の機能を有するパーソナルコンピュータ用のデータ入力装置であって、従来の数字キー及び計算機演算子キーのアレイと、複数の計算機制御キーと、前記入力装置上に配置された表示手段とを備え、前記制御キーが、前記計算機演算子キー及び／又は前記数字キーと共に機能して、（ｉ）計算機に関連するキー値をコンピュータへ選択的に送ること、ならびに（ｉｉ）数学的計算を選択的に実行して、前記計算の結果を前記表示手段上に表示すること、及び／又は前記結果をコンピュータへ送ることができるデータ入力装置。
【請求項４７】
前記計算機演算子キーの値が、．、＋、−、／、＊、％、√、＋／−、Ｃ／ＡＣ、ＭＫＵＰ、ＳＥＮＤ、及びＥＮＴＥＲを含むグループから選択可能である請求項４６に記載のデータ入力装置。
【請求項４８】
前記計算機制御キーが、アクティブにされた状態と、非アクティブにされた状態の間で切り替え可能である請求項４６又は４７に記載のデータ入力装置。
【請求項４９】
前記計算機制御キーが、（ｉ）数字キー及び計算機演算子キーの前記アレイを用いて実行された計算の結果を前記表示手段上に選択的に表示するための第１の制御キーと、（ｉｉ）数字キー及び計算機演算子キーの前記アレイを用いて実行された計算の結果をコンピュータへ選択的に送るための第２の制御キーとを含む請求項４６〜４８のいずれか一項に記載のデータ入力装置。
【請求項５０】
前記第２の制御キーが、押下されたときに前記表示手段上に表示されている値を前記コンピュータへ送るように機能する前記ＳＥＮＤキーである請求項４７に記載のデータ入力装置。
【請求項５１】
前記ＥＮＴＥＲキーを押下することによって、前記計算機が、最も新しい計算を実行し、それに応じて前記表示手段を更新し、同じ結果を前記コンピュータへは送らない請求項４７に記載のデータ入力装置。
【請求項５２】
前記第１及び第２の制御キーが、双方とも非アクティブにされている状態にある場合には、数学的計算は実行されずに、前記従来の数字キー及び／又は計算機演算子キーの値そのものがコンピュータへ送られる請求項４９に記載のデータ入力装置。
【請求項５３】
前記装置に保存バッファが提供され、この保存バッファが、ｎ個の最も新しい数値入力、演算子、及び計算結果の値の計算履歴を保持する請求項４６〜４９のいずれか一項に記載のデータ入力装置。
【請求項５４】
前記保存バッファによって、ユーザが、前記バッファの履歴内における以前の任意のポイントから計算を後戻りさせ、再び繰り返し、及び／又は訂正することができる請求項５３に記載のデータ入力装置。
【請求項５５】
データ入力キーのアレイを備えるパーソナルコンピュータ用のデータ入力装置であって、所与のデータ列を作成するのに必要とされるキーの押下回数を前記データ列内の文字数未満にまで削減することを容易にするように適合されており、かつ１つ又は複数の機能ロックキーを備え、これらの機能ロックキーは、前記データ入力キーの機能を２つのモードのうちの１つにロックするためにユーザによって選択することができ、その後に前記ユーザが前記機能ロックキーを選択解除するまで、前記選択されたモードが維持されるデータ入力装置。
【請求項５６】
前記機能ロックキーが、ＡＬＴ  Ｌｏｃｋ、ＣＴＲＬ  Ｌｏｃｋ、ＳＥＱ  Ｌｏｃｋ、及びＤＵＡＬ  Ｌｏｃｋを含むグループから選択される請求項５５に記載のデータ入力装置。
【請求項５７】
前記ＳＥＱ  Ｌｏｃｋキーが、同時にキーを押下することとは対照的に順次キーを押下することによって第２のキー値を選択できるようにする請求項５６に記載のデータ入力装置。
【請求項５８】
請求項３５〜４５のいずれか一項に記載のデータ入力装置を備えるパーソナルコンピュータ用のインターフェースシステム。